(57)【要約】      （修正有）【課題】ＣＮＣ旋盤ツールホルダー回転構造。【解決手段】ＣＮＣ旋盤ツールホルダー回転構造は、ウォームホイールをツールホルダー上面の平台に設け、ボルトを平台に嵌入してウォームホイールを螺着、そのウォームホイール平面に延伸する中空柱体外部に、軸受けを嵌合させ、また、ウォームホイールに組み合わせた円筒ウォームは、円筒ウォーム固定体に挿入、前記ウォームホイールはウォームホイール固定体内部に位置させ、そのウォームホイール固定体は桿体に組み合わせる。回転構造を起動させるモーターは、円筒ウォームに正反方向の回転を加えるもので、円筒ウォームは組み合わせたウォームホイールに更に水平方向の回転を加える。この時ウォームホイール底面に組み合わせたツールホルダーもまた、ウォームホイールの回転に従い水平方向回転を成す。【選択図】図１
0003122311.tif 000002
【実用新案登録請求の範囲】
【請求項１】
ツールホルダー、ウォームホイール、円筒ウォーム固定体、円筒ウォーム、ウォームホイール固定体、固定リングを構成要素とするＣＮＣ旋盤ツールホルダー回転構造において、
ツールホルダーは、柱状本体を具え、その柱状本体上面には平台を形成、
ウォームホイールは、その上面に中空柱体を具え、前記ツールホルダーの平台に組み合わせ、
円筒ウォーム固定体は、モーター室を具え、そのモーター室には桿体を延伸、桿体側面には開口を形成、
円筒ウォームは、前記円筒ウォーム固定体内に挿入、並びに前記桿体側面の開口から露出、並びに前記ウォームホイールに組み合わせ、
ウォームホイール固定体は、一つの嵌入孔を具え、前記ウォームホイールを被冠し、並びに穿設した嵌入孔は前記ウォームホイールの中空柱体を嵌入させ、延伸した突出体は前記円筒ウォーム固定体の桿体に組み合わせ、
固定リングは、前記ウォームホイールの中空柱体に組み合わせることを特徴とするＣＮＣ旋盤ツールホルダー回転構造。
【請求項２】
ウォームホイールの中空柱体には一つの軸受けを嵌合することを特徴とする請求項１記載のＣＮＣ旋盤ツールホルダー回転構造。
【請求項３】
ウォームホイールの中空柱体開口周囲にねじ溝を設けて、前記固定リングに螺着することを特徴とする請求項１記載のＣＮＣ旋盤ツールホルダー回転構造。
【請求項４】
ウォームホイール固定体の突出体には穿孔を設け、円筒ウォーム固定体の桿体には螺孔を設け、その穿孔と螺孔はボルトで固着されることを特徴とする請求項１記載のＣＮＣ旋盤ツールホルダー回転構造。
【請求項５】
旋盤ツールホルダーの平台には嵌入孔を設け、その嵌入孔の両脇には穿孔を、ウォームホイール底面には螺孔を設け、その穿孔と螺孔はボルトで固着されることを特徴とする請求項１記載のＣＮＣ旋盤ツールホルダー回転構造。
【考案の詳細な説明】
【技術分野】
【０００１】
本考案は、ＣＮＣ旋盤ツールホルダー回転構造に関するものであり、特に、ツールホルダー上面に組み合わせて、駆動するツールホルダーによって水平方向回転する構造のＣＮＣ旋盤ツールホルダー回転構造を提案する。
【背景技術】
【０００２】
ＣＮＣ旋盤は、一種の最強機能を持つ精密工具機械であり、機器の作業部分内に設けたバイト、フライス、ビット、ねじタップ等多種切削刃具をパソコンプログラムの設定により制御、それらの刃具は、予定のプログラムに従って加工部品に対する送り戻りをし、切削が完了するまで作業を行う。
【０００３】
従来のＣＮＣ旋盤ツールホルダー１０ａは、図５に示すとおり、柱状本体１１ａを含み、その柱状本体１１ａには一列垂直のツールホルダー１２ａを設け、また柱状本体１１ａ上面には平台１３ａを形成、その平台１３ａには固定体１４ａを組み合わせ、その固定体１４ａ上面には駆動構造を組み合わせ、一つの外殻１５ａによってその駆動構造を固定体１４ａに被冠、その固定体１４ａ側面には別に作動体１６ａを組み合わせる。使用においては、従来の旋盤ツールホルダー１０ａは、作動体１６ａによってのみ垂直水平方向移動をして旋盤ツールホルダー１０ａ移動の目的を果たしており、回転機能を持ち合わせておらず、よって、機能上に一定の制限が設けられてしまい、回転機能を持たせるよう改善してこそ、使用における便利性が拡大する。
【考案の開示】
【考案が解決しようとする課題】
【０００４】
本考案の考案者は、従来のＣＮＣ旋盤ツールホルダーの実際に使用する際に残された欠点及び制限に関して、個人のこの業界において積んできた長年の経験に基づき、丹念な研究を行い、ついに斬新的なＣＮＣ旋盤ツールホルダー回転装置を生み出した。
【０００５】
前述課題を解決するために、本考案のＣＮＣ旋盤ツールホルダー回転構造を提案する。その主要目的は、従来のＣＮＣ旋盤ツールホルダー回転における水平方向回転不可能という欠点を改善する。
【０００６】
上記の目的を達成する為、本考案は、ウォームホイールをツールホルダー上面の平台に設け、ボルトを平台に嵌入してウォームホイールに固着、そのウォームホイール平面に延伸する中空柱体外部に、軸受けを嵌入させ、また、ウォームホイールに組み合わせた円筒ウォームは、円筒ウォーム固定体に挿入、前記ウォームホイールはウォームホイール固定体に内設、そのウォームホイール固定体には桿体を組み合わせる。回転構造を駆動するモーターは、円筒ウォームに正反方向の回転を加えるもので、円筒ウォームは組み合わせたウォームホイールに更に水平方向の回転を加える。この時ウォームホイール底面に組み合わせたツールホルダーもまた、ウォームホイールの回転に従い水平方向回転を成し、これにより旋盤ツールホルダー回転の目的を達成する。
【０００７】
本考案は、その設計において下記の長所を持つ。
【０００８】
本考案は、ウォームホイールをツールホルダー上面の平台に螺着、円筒ウォームを円筒ウォーム固定体に嵌入、円筒ウォームをウォームホイールに組み合わせ、並びに、ウォームホイール端部をモーターに組み合わせたものであり、使用においてＣＮＣ旋盤は、プログラムを設定後、円筒ウォーム、ウォームホイールの設計とモーターの駆動により、ツールホルダーに水平方向３６０度の回転を加える為、旋盤ツールホルダーの機能性を強化、旋盤ツールホルダーは使用上更に便利になる。
【課題を解決するための手段】
【０００９】
請求項１の考案は、ツールホルダー、ウォームホイール、円筒ウォーム固定体、円筒ウォーム、ウォームホイール固定体、固定リングを構成要素とするＣＮＣ旋盤ツールホルダー回転構造において、
ツールホルダーは、柱状本体を具え、その柱状本体上面には平台を形成、
ウォームホイールは、その上面に中空柱体を具え、前記ツールホルダーの平台に組み合わせ、
円筒ウォーム固定体は、モーター室を具え、そのモーター室には桿体を延伸、桿体側面には開口を形成、
円筒ウォームは、前記円筒ウォーム固定体内に挿入、並びに前記桿体側面の開口から露出、並びに前記ウォームホイールに組み合わせ、
ウォームホイール固定体は、一つの嵌入孔を具え、前記ウォームホイールを被冠し、並びに穿設した嵌入孔は前記ウォームホイールの中空柱体を嵌入させ、延伸した突出体は前記円筒ウォーム固定体の桿体に組み合わせ、
固定リングは、前記ウォームホイールの中空柱体に組み合わせることを特徴とするＣＮＣ旋盤ツールホルダー回転構造としている。
請求項２の考案は、ウォームホイールの中空柱体には一つの軸受けを嵌合することを特徴とする請求項１記載のＣＮＣ旋盤ツールホルダー回転構造としている。
請求項３の考案は、ウォームホイールの中空柱体開口周囲にねじ溝を設けて、前記固定リングに螺着することを特徴とする請求項１記載のＣＮＣ旋盤ツールホルダー回転構造としている。
請求項４の考案は、ウォームホイール固定体の突出体には穿孔を設け、円筒ウォーム固定体の桿体には螺孔を設け、その穿孔と螺孔はボルトで固着されることを特徴とする請求項１記載のＣＮＣ旋盤ツールホルダー回転構造としている。
請求項５の考案は、旋盤ツールホルダーの平台には嵌入孔を設け、その嵌入孔の両脇には穿孔を、ウォームホイール底面には螺孔を設け、その穿孔と螺孔はボルトで固着されることを特徴とする請求項１記載のＣＮＣ旋盤ツールホルダー回転構造としている。
【考案の効果】
【００１０】
本考案のＣＮＣ旋盤ツールホルダー回転構造は、回転構造を駆動するモーターが、円筒ウォームに正反方向の回転を加え、円筒ウォームは組み合わせたウォームホイールに更に水平方向の回転を加え、この時ウォームホイール底面に組み合わせたツールホルダーもまた、ウォームホイールの回転に従い水平方向回転を成し、これにより旋盤ツールホルダー回転の目的を達成することを特徴とする。
【考案を実施するための最良の形態】
【００１１】
図１及び図２に示すとおり、本考案のツールホルダー回転構造Ａは、ウォームホイール１０、軸受け２０、円筒ウォーム固定体３０、円筒ウォーム４０、ウォームホイール固定体５０と固定リング６０をツールホルダーＢに組み合わせて構成される。
【００１２】
前記ウォームホイール１０上面には中空柱体１１を設け、その中空柱体１１開口周囲にねじ溝を設け、また、ウォームホイール１０底面には二つの螺孔（未図示）を穿設する。
【００１３】
前記円筒ウォーム固定体３０後方に設けたモーター室３１には、前方に延伸する桿体３２を設け、その桿体３２上面には螺孔３３を穿設、側面には開口３４を形成する。
【００１４】
前述ウォームホイール固定体５０中央には嵌入孔５１を具えており、そのウォームホイール固定体５０側面には突出体５２を延伸、突出体５２には穿孔５３を排列し、前記穿孔５３は前記円筒ウォーム固定体３０の螺孔３３に対応させる。
【００１５】
ツールホルダーＢは、柱状本体Ｂ１を具え、その柱状本体Ｂ１には一列の垂直ツールホルダーＢ２を、柱状本体Ｂ１上面には平台Ｂ３を形成、その平台Ｂ３中央には嵌入孔Ｂ４を設け、嵌入孔Ｂ４両側には、前記ウォームホイール１０底面の螺孔に対応する穿孔Ｂ５を穿設する。
【００１６】
続いて、図２に本考案のツールホルダー回転構造ＡとツールホルダーＢの組み合わせを示す（図１も併せて参照）。それはウォームホイール１０をツールホルダーＢの平台Ｂ３に置き、ボルトによって平台Ｂ３の穿孔Ｂ５とウォームホイール１０の螺孔の二者を固着結合し、組立て完了後、軸受け２０をウォームホイール１０の中空柱体１１外部に嵌合、更に円筒ウォーム４０を円筒ウォーム固定体３０のモーター室３１と桿体３２に挿入、この時円筒ウォーム４０は桿体３２側面の開口３４から露出、露出した円筒ウォーム４０とウォームホイール１０を組み合わせる。
【００１７】
最後にウォームホイール固定体５０をウォームホイール１０に被冠し、ウォームホイール固定体５０の嵌入孔５１にウォームホイール１０の中空柱体１１を嵌入、並びにウォームホイール固定体５０が延伸する突出体５２の穿孔５３を桿体３２の螺孔３３にぴったり合わせ、ボルトによって突出体５２の穿孔５３と桿体３２の螺孔３３の二者を固着結合し、組立て完了後、固定リング６０をウォームホイール１０中空柱体１１のねじ溝に螺着すると、ウォームホイール固定体５０はウォームホイール１０外部に組み合わせられ、本考案のツールホルダー回転構造ＡとツールホルダーＢの組立てが完了する。
【００１８】
図３及び図４に示すとおり（図１も併せて参照）、本考案のツールホルダー装置Ａは、使用において、モーター（未図示）の駆動によって円筒ウォーム４０は正反方向の回転をし、円筒ウォーム４０は更に組み合わせたウォームホイール１０を動かし、ウォームホイール１０に水平方向回転をさせる。この時ウォームホイール１０底面に組み合わせたツールホルダーＢもまた、ウォームホイール１０に従い水平方向回転を成し、ツールホルダーＢ回転の目的を達成する。
【図面の簡単な説明】
【００１９】
【図１】本考案に関するＣＮＣ旋盤ツールホルダー回転構造の立体分解図である。
【図２】本考案に関するＣＮＣ旋盤ツールホルダー回転構造の立体組立図である。
【図３】本考案に関するウォームホイールと円筒ウォームの組立断面図である。
【図４】本考案に関するウォームホイールと円筒ウォームの組立断面作動図である。
【図５】従来の旋盤ツールホルダーの立体組立図である。
【符号の説明】
【００２０】
Ａ  ツールホルダー回転構造
Ｂ  ツールホルダー
Ｂ１  柱状本体
Ｂ２  垂直ツールホルダー
Ｂ３  平台
Ｂ４  嵌入孔
Ｂ５  穿孔
１０  ウォームホイール
１１  中空柱体
２０  軸受け
３０  円筒ウォーム固定体
３１  モーター室
３２  桿体
３３  螺孔
３４  開口
４０  円筒ウォーム
５０  ウォームホイール固定体
５１  嵌入孔
５２  突出体
５３  穿孔
６０  固定リング
１０ａ  旋盤ツールホルダー
１１ａ  柱状本体
１２ａ  ツールホルダー
１３ａ  平台
１４ａ  固定体
１５ａ  外殻
１６ａ  作動体
【図１】
0003122311.tif 000003
【図２】
0003122311.tif 000004
【図３】
0003122311.tif 000005
【図４】
0003122311.tif 000006
【図５】
0003122311.tif 000007